(57)【特許請求の範囲】
【請求項１】
外部モニタが接続され、当該外部モニタへ映像信号を出力する複数の種別の出力端子と、
前記複数の出力端子への外部モニタの接続を検出する検出手段と、
前記検出手段により複数の外部モニタの接続が検出された場合に、前記出力端子の種別に基づいて、前記出力端子のそれぞれに出力する映像信号を選択する選択手段と、
前記選択手段により選択された映像信号を前記出力端子の種別に応じた映像信号に変換して、変換した映像信号を該当する出力端子を通じて外部モニタへ出力する画像処理手段とを備え、
前記選択手段は、最も高解像度な外部モニタが接続される出力端子に出力する映像信号として、撮像した映像信号を選択し、前記最も高解像度な外部モニタが接続される出力端子以外の出力端子に出力する映像信号として、前記撮像した映像信号とは異なる映像信号を選択することを特徴とする撮像装置。
【請求項２】
前記選択手段は、出力端子が撮像した映像信号を出力中に、該出力端子よりも高解像度な外部モニタの接続が検出された場合には、前記高解像度な外部モニタが接続される出力端子に出力する映像信号として、前記撮像した映像信号を選択することを特徴とする請求項１に記載の撮像装置。
【請求項３】
前記選択手段は、前記撮像した映像信号を出力する出力端子に接続される外部モニタからモニタ情報の取得が正常に行えなかった場合は、次に高解像度な外部モニタが接続される出力端子に出力する映像信号として、前記撮像した映像信号を選択することを特徴とする請求項１又は２いずれか１項に記載の撮像装置。
【請求項４】
前記外部モニタは、
標準解像度モニタと、
高解像度モニタと、
を有し、
前記出力端子は、
前記標準解像度モニタが接続される標準解像度出力端子と、
前記高解像度モニタが接続される高解像度出力端子と、
を有し、
前記検出手段は、
前記標準解像度出力端子への標準解像度モニタの接続を検出する標準解像度出力端子状態検出手段と、
前記高解像度出力端子への高解像度モニタの接続を検出する高解像度出力端子状態検出手段と、
を有し、
前記選択手段は、前記標準解像度出力端子状態検出手段及び高解像度出力端子状態検出手段により標準解像度モニタ及び高解像度モニタの接続が検出された場合に、高解像度出力端子に出力する映像信号として、撮像した映像信号を、標準解像度出力端子に出力する映像信号として、前記撮像された映像信号とは異なる映像信号を選択する
ことを特徴とする請求項１から３いずれか１項に記載の撮像装置。
【発明の詳細な説明】
【技術分野】
【０００１】
本発明は、撮像装置に関する。
【背景技術】
【０００２】
現在、テレビジョンモニタやビデオに撮像した画像を出力できるデジタルカメラのような撮像装置が広く普及している。このような撮像装置において、接続された外部モニタ出力ケーブルに応じて映像信号を切り替えるものがある（例えば特許文献１参照）。この撮像装置では、各種テレビジョンモニタ出力ケーブルの接続状態を判別し、判別に応じて、高解像度または標準映像信号を映像出力端子に出力する。
【特許文献１】特開２００５−１０１８６５号公報
【発明の開示】
【発明が解決しようとする課題】
【０００３】
ところで、市場では撮像装置に複数のモニタを接続し、モニタ毎に表示する映像信号を選択したいという要望があるが、特許文献１に記載された技術などでは、撮像装置に複数のモニタを同時に接続した場合について考慮されていない、という問題がある。
本発明は上記の点に鑑みてなされたものであり、その目的は、複数接続されたモニタに表示する映像信号を制御することができる撮像装置を提供することにある。
【課題を解決するための手段】
【０００４】
本発明は上記の課題を解決するためになされたものであり、本発明の一態様は、外部モニタが接続され、当該外部モニタへ映像信号を出力する複数の種別の出力端子と、前記複数の出力端子への外部モニタの接続を検出する検出手段と、前記検出手段により複数の外部モニタの接続が検出された場合に、前記出力端子の種別に基づいて、前記出力端子のそれぞれに出力する映像信号を選択する選択手段と、前記選択手段により選択された映像信号を前記出力端子の種別に応じた映像信号に変換して、変換した映像信号を該当する出力端子を通じて外部モニタへ出力する画像処理手段と、を備えることを特徴とする撮像装置である。
この構成により、撮像装置は、複数の外部モニタ接続された場合に、外部モニタが接続された出力端子の種別に基づいて、出力端子のそれぞれに出力する映像信号を選択し、選択された映像信号を出力端子の種別に応じた映像信号に変換して外部モニタに出力することが可能となる。
【発明の効果】
【０００５】
本発明によれば、撮像装置は、外部モニタが接続され、当該外部モニタへ映像信号を出力する複数の種別の出力端子と、前記複数の出力端子への外部モニタの接続を検出する検出手段と、前記検出手段により複数の外部モニタの接続が検出された場合に、前記出力端子の種別に基づいて、前記出力端子のそれぞれに出力する映像信号を選択する選択手段と、前記選択手段により選択された映像信号を前記出力端子の種別に応じた映像信号に変換して、変換した映像信号を該当する出力端子を通じて外部モニタへ出力する画像処理手段とを備える構成とした。
これにより、撮像装置は、複数の外部モニタが接続された場合に、異なる映像信号を、外部モニタのそれぞれに適切な映像信号に変換して、それぞれの外部モニタに出力することができるため、複数接続された外部モニタに表示する映像信号を制御することが可能である。
【発明を実施するための最良の形態】
【０００６】
以下、図面を参照しながら本発明の実施形態について詳しく説明する。
図１は、本発明の実施形態による撮像装置１００の構成を示すブロック図である。撮像装置１００は、撮像部１０１と、画像処理部１０２と、撮像装置１００を統括して制御するシステム制御部１０３と、画像表示部１０４と、ユーザ設定部１０５と、画像データを一時的に記憶する画像メモリ１０６と、画像データを記憶保持する記憶媒体１０７と、高解像度出力端子１０８と、標準解像度出力端子１０９と、高解像度出力端子状態検出部１１０と、標準解像度出力端子状態検出部１１１と、を含んで構成される。
【０００７】
撮像部１０１は、図示しない光学系により結像された被写体像を固定撮像素子により読み出し、映像信号として画像処理部１０２へ出力する。
【０００８】
画像処理部１０２は、システム制御部１０３の制御信号に基づいて映像信号を画像表示部１０４、高解像度出力端子１０８及び標準解像度出力端子１０９に出力する機能を有する。また、画像処理部１０２は、システム制御部１０３の制御信号に基づいて撮像部１０１から取り込んだ映像信号に明るさや色の彩度を調整するガンマ補正や色の補正を行うホワイトバランス処理等を行い、処理を行った映像信号を画像データとして画像メモリ１０６に一時的に記憶させる。また、画像処理部１０２は、システム制御部１０３から記録の要求があった場合は画像メモリ１０６に一時的に記憶されている画像データを圧縮して、または圧縮せずに、記憶媒体１０７に記録させる。また、画像処理部１０２は、システム制御部１０３から再生の要求があった場合は、記憶媒体１０７から画像データを読み出し、画像メモリ１０６に一時的に記憶して、その画像データの映像信号を画像表示部１０４、高解像度出力端子１０８又は標準解像度出力端子１０９に出力する。
【０００９】
画像表示部１０４は、液晶ディスプレイなどにより構成され、メニュー画面の表示または画像メモリ１０６に記憶された画像データの表示等を行う。ユーザ設定部１０５は、各種ボタンやタッチパネル等から構成され、撮像装置１００の操作に用いられる。
【００１０】
高解像度出力端子１０８は、外部モニタの外部出力ケーブルを接続するための端子であり、画像処理部１０２から入力された映像信号を接続先の外部モニタ（高解像度モニタ）へ出力する。ここで、画像処理部１０２から入力される映像信号は、高解像度モニタの解像度（高解像度）に変換された高解像度映像信号である。なお、高解像度出力端子１０８に接続される高解像度モニタは、ハイビジョン方式テレビジョンモニタなどである。この際、高解像度映像信号は、例えば、有効画素数が横１９２０×縦１０８０の解像度の映像信号である。
【００１１】
標準解像度出力端子１０９は、外部モニタの外部出力ケーブルを接続するための端子であり、画像処理部１０２から入力された映像信号を接続先の外部モニタ（標準解像度モニタ）へ出力する。ここで、画像処理部１０２から入力される映像信号は標準解像度モニタの解像度（標準解像度）に変換した標準解像度映像信号である。なお、標準解像度出力端子１０９に接続される標準解像度モニタは、例えばＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式のテレビジョンモニタなどである。この際、標準解像度映像信号は、有効画素数がおよそ横７２０×縦４８０の解像度の映像信号である。
なお、高解像度映像信号は標準解像度映像信号より解像度が高い映像信号である。また、高解像度モニタは標準解像度モニタより高い解像度で表示が可能である。
【００１２】
高解像度出力端子状態検出部１１０は、高解像度出力端子１０８に外部出力ケーブルが接続されていることを検出し、検出結果をシステム制御部１０３に通知する。
標準解像度出力端子状態検出部１１１は、標準解像度出力端子１０９に外部出力ケーブルが接続されていることを検出し、検出結果をシステム制御部１０３に通知する。
【００１３】
ここで、システム制御部１０３は高解像度出力端子１０８及び標準解像度出力端子１０９の外部出力ケーブル接続状態に応じて、画像表示部１０４、高解像度出力端子１０８及び標準解像度出力端子１０９への出力内容を切り替える機能を有するように構成される。
【００１４】
図２は、本実施形態のシステム制御部１０３における切り替え制御の動作を示すフローチャートである。
システム制御部１０３は、まず、高解像度出力端子状態検出部１１０及び標準解像度出力端子状態検出部１１１における検出結果に基づいて外部出力ケーブルが接続されているか否かを判定する（ステップＳ１）。
【００１５】
外部出力ケーブルが接続されていない場合には、ステップＳ５に移行して、システム制御部１０３は、画像メモリ１０６に記憶されている画像データの内、撮像した画像に対応する画像データを画像表示部１０４に表示する。具体的には、システム制御部１０３から入力された制御信号に基づいて、撮像した画像を示す映像信号（つまり、撮像した映像信号）の解像度を、画像処理部１０２が画像表示部１０４を構成する液晶ディスプレイの解像度に変換して画像表示部１０４に出力する。これにより、画像表示部１０４に撮像した画像が表示される。
【００１６】
外部出力ケーブルが接続されている場合（ステップＳ１：Ｙｅｓ）、システム制御部１０３は、高解像度出力端子状態検出部１１０の検出結果に基づいて、高解像度出力端子１０８に外部出力ケーブルが接続されているか否かを判定する（ステップＳ２）。
ここで高解像度出力端子１０８に外部出力ケーブルが接続されているか否かの判定を行うのは、標準解像度出力端子１０９に外部出力ケーブルが接続されていても、高解像度出力端子１０８への出力を優先させるためである。これにより、複数の外部モニタが接続している場合でも、ユーザはより高解像度の画像で映像を視ることが可能である。
【００１７】
高解像度出力端子１０８に外部出力ケーブルが接続されていない場合には、システム制御部１０３は、ステップＳ４に移行して、標準解像度出力モード処理を行う。つまり、標準解像度モニタと画像表示部１０４に撮像した画像を表示する。具体的には、システム制御部１０３から入力された制御信号に基づいて、画像処理部１０２が撮像した映像信号を標準解像度モニタと画像表示部１０４に出力する。この際、画像処理部１０２は、撮像した映像信号の解像度を標準解像度に変換して標準解像度出力端子１０９を介して標準解像度モニタに出力する。図３は、標準解像度出力端子１０９にのみ外部出力ケーブルが接続された場合に、画像表示部１０４及び標準解像度モニタ２００に表示される画面例を示した概略図である。画像表示部１０４及び標準解像度モニタ２００には、撮像した画像が表示されている。
【００１８】
また、高解像度出力端子１０８に外部出力ケーブルが接続されている場合（ステップＳ２：Ｙｅｓ）、システム制御部１０３は、高解像度出力モード処理を行う（ステップＳ３）。つまり、高解像度モニタに撮像した画像を表示する。高解像度出力モード処理についての詳細は後述する。
【００１９】
なお、上に示した切り替え制御処理は常時行っており、例えば、標準解像度モニタ２００に撮像した映像信号を出力中に、高解像度出力端子１０８に外部出力ケーブルが接続された場合には、標準解像度モニタ２００への出力を停止して、高解像度モニタに撮像した映像信号を出力する。
また、上記ステップＳ４では、画像表示部１０４に撮像した画像を表示したが、画像表示部１０４にメニュー画面を表示してもよい。
【００２０】
図４は、本実施形態のシステム制御部１０３における高解像度出力モード処理の動作を示すフローチャートである。
システム制御部１０３は、まず、標準解像度出力端子状態検出部１１１の検出結果に基づいて、標準解像度出力端子１０９に外部出力ケーブルが接続されているか否かを判定する（ステップＳ１１）。標準解像度出力端子１０９に外部出力ケーブルが接続されている場合には、システム制御部１０３は、標準解像度モニタ２００にメニュー画面を表示する（ステップＳ１２）。具体的には、システム制御部１０３から入力された制御信号に基づいて、画像処理部１０２がメニュー画面を示す映像信号の解像度を標準解像度に変換して、標準解像度出力端子１０９を介して標準解像度モニタ２００に出力する。
【００２１】
一方、標準解像度出力端子１０９に外部出力ケーブルが接続されていない場合には、システム制御部１０３は、標準解像度モニタ２００への出力を制限する（ステップＳ１３）。
【００２２】
次に、システム制御部１０３は、画像表示部１０４にメニュー画面を表示する（ステップＳ１４）。具体的には、システム制御部１０３から入力された制御信号に基づいて、メニュー画面を示す映像信号の解像度を、画像処理部１０２が画像表示部１０４を構成する液晶ディスプレイの解像度に変換して画像表示部１０４に出力する。
次に、システム制御部１０３は、高解像度出力端子１０８に接続された高解像度モニタに撮像した画像を表示する（ステップＳ１５）。具体的には、システム制御部１０３から入力された制御信号に基づいて、画像処理部１０２は、撮像した映像信号の解像度を高解像度に変換して、高解像度出力端子１０８を介して高解像度モニタに出力する。
【００２３】
このように、撮像装置１００は、異なる解像度の外部モニタが接続された場合、高解像度モニタ３００に撮像した画像の表示を行い、標準解像度モニタ２００と画像表示部１０４にはメニュー画面の表示を行う。これにより、撮像した画像の上に重ねてメニュー画面を表示する必要がなくなり、ユーザは高解像度モニタ３００で精細な映像を隅々まで視ることができる。
【００２４】
図５は、高解像度出力モード処理においてそれぞれのモニタに表示される画面例を示した概略図である。図５に示した画面では、画像表示部１０４及び標準解像度モニタ２００には、メニュー画面が表示されている。また、高解像度モニタ３００には、撮像した画像が表示されている。図５に示されたメニュー画面は、高解像度モニタ３００に表示された画像に対して行う画像処理のメニュー画面である。例えば、ユーザは、標準解像度モニタ２００に表示されたメニュー画面の「Ｒｅｓｉｚｅ」を選択すると、高解像度モニタ３００に表示された画像のサイズを変更できる。
【００２５】
このように、本実施形態によれば、複数の外部モニタが撮像装置１００に接続された場合、撮像装置１００は、より高解像度の外部モニタを選択して、その外部モニタに撮像した画像を表示する。また、その際、他の外部モニタには、選択した外部モニタとは異なる画面（例えば、メニュー画面）を表示するため、複数接続された外部モニタに表示する映像信号を制御することが可能である。これにより、複数の外部モニタが接続している場合でも、ユーザはより高解像度の画像で映像を視ることが可能である。また、撮像装置が撮影時であっても、撮像した映像信号の解像度を高解像度に変換して高解像度モニタ３００へ出力するので、高解像度モニタ３００の性能を生かした映像表示が可能である。
【００２６】
次に、本発明の第２の実施形態における撮像装置１００について説明する。本実施形態における撮像装置１００は、高解像度出力端子１０８に外部出力ケーブルが接続された場合であっても、高解像度モニタ３００からモニタ情報が取得できなかった場合には、標準解像度モニタ２００に撮像した画像の表示を行う。他の構成は第１の実施形態と同様なので説明を省略する。
【００２７】
図６は、本実施形態のシステム制御部１０３における切り替え制御の動作を示すフローチャートである。
システム制御部１０３は、上記ステップS３において、高解像度出力端子１０８に外部出力ケーブルが接続されたと判定した場合、高解像度出力端子１０８に接続された高解像度モニタ３００からモニタ情報の取得を行う（ステップＳ２１）。具体的には、モニタ情報の取得要求を高解像度モニタ３００に送信する。次に、システム制御部１０３は、モニタ情報を正常に取得できたか否かの判定を行う（ステップＳ２２）。この際、高解像度モニタ３００からモニタ情報が受信できなかった場合、もしくは、受信したモニタ情報が有効でない場合に取得できなかったと判定する。正常に取得できた場合には、システム制御部１０３は、図４に示す高解像度出力モード処理を行う（ステップＳ２３）。
【００２８】
モニタ情報の取得が正常に行われなかった場合には、システム制御部１０３は、高解像度モニタ３００への出力を制限し（ステップＳ２４）、標準解像度出力端子１０９に外部出力ケーブルが接続されているか否かの判定を行う（ステップＳ２５）。
【００２９】
標準解像度出力端子１０９に外部出力ケーブルが接続されていない場合には、ステップ２７へ移行して、システム制御部１０３は、標準解像度モニタ２００への出力を制限する。一方、標準解像度出力端子１０９に外部出力ケーブルが接続されている場合には、システム制御部１０３は、標準解像度モニタ２００に撮像した画像を表示する（ステップＳ２６）。
最後に、システム制御部１０３は、画像表示部１０４に撮像した画像を表示する（ステップＳ２８）。
【００３０】
なお、上記ステップＳ２８では、画像表示部１０４に撮像した画像を表示したが、画像表示部１０４にメニュー画面を表示してもよい。
【００３１】
このように、本実施形態によれば、撮像装置１００は、高解像度出力端子１０８に外部出力ケーブルが接続された場合であっても、高解像度モニタ３００からモニタ情報が取得できなかった場合には、標準解像度モニタ２００に撮像した画像の表示を行う。これにより、撮像装置１００は、例えば高解像度モニタ３００の電源がオフになっていた場合などにも正常に画像を表示することができる。
【００３２】
また、図２、図４及び図６に示す各ステップを実現するためのプログラムをコンピュータ読み取り可能な記録媒体に記録して、この記録媒体に記録されたプログラムをコンピュータシステムに読み込ませ、実行することにより、切り替え制御処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００３５】
例えば、本実施形態では、出力端子が高解像度出力端子１０８と標準解像度出力端子１０９の２個の場合について説明したが、２個以上の出力端子を設けてもよい。その際、撮像した映像信号を出力する出力端子は最も高解像度な外部モニタを接続する出力端子である。
【００３６】
また、外部モニタが複数接続された場合に、標準解像度モニタ２００と画像表示部１０４にはメニュー画面を表示したが、サムネイル画像を一覧表示してもよい。図７は、高解像度出力モード処理においてそれぞれのモニタに表示される画面例を示した概略図である。図７に示した画面では、画像表示部１０４及び標準解像度モニタ２００には、縮小画像であるサムネイル画像が縦３×横３の９個画面に表示されている。また、高解像度モニタ３００には、画像表示部１０４及び標準解像度モニタ２００に表示された太い黒枠で囲まれたサムネイル画像２１が示す画像が表示されている。
【００３７】
また、本実施形態においては、複数の外部出力ケーブルが接続された場合に、画像表示部１０４と標準解像度モニタ２００に同じ表示を行ったが、それぞれの画面に別の表示を行ってもよい。例えば、画像表示部１０４にはメニュー画面、標準解像度モニタ２００にはサムネイル画像の一覧、高解像度モニタ３００には撮像した画像といった表示をしてもよい。
【図面の簡単な説明】
【００３８】
【図１】本発明による第１の実施形態の撮像装置の構成を示すブロック図である。
【図２】同実施形態のシステム制御部における切り替え制御の動作を示すフローチャートである。
【図３】同実施形態における画像表示部及び標準解像度モニタに表示される画面例を示した概略図である。
【図４】同実施形態のシステム制御部における高解像度出力モード処理の動作を示すフローチャートである。
【図５】同実施形態における高解像度出力モード処理においてそれぞれのモニタに表示される画面例を示した概略図である。
【図６】本発明による第２の実施形態のシステム制御部における切り替え制御の動作を示すフローチャートである。
【図７】高解像度出力モード処理においてそれぞれのモニタに表示される画面例を示した概略図である。
【符号の説明】
【００３９】
２１…サムネイル画像  １００…撮像装置  １０１…撮像部  １０２…画像処理部  １０３…システム制御部  １０４…画像表示部  １０５…ユーザ設定部  １０６…画像メモリ  １０７…記憶媒体  １０８…高解像度出力端子  １０９…標準解像度出力端子  １１０…高解像度出力端子状態検出部  １１１…標準解像度出力端子状態検出部  ２００…標準解像度モニタ  ３００…高解像度モニタ
【図１】
0005112041.tif 000002
【図２】
0005112041.tif 000003
【図３】
0005112041.tif 000004
【図４】
0005112041.tif 000005
【図５】
0005112041.tif 000006
【図６】
0005112041.tif 000007
【図７】
0005112041.tif 000008